(57)【要約】      （修正有）【課題】屋内に侵入しようとする行為を未然に防止することができ、窓やドア、門扉など広範な侵入路に容易に設置することができる防犯装置を提供する。【解決手段】屋内への侵入路を遮るように横断して設けられる侵入妨害部材２と、侵入妨害部材２の変位を検出して侵入信号を出力する侵入検出機構１０と、侵入信号の入力を受けて警鳴機器５０を駆動させるブザー駆動回路２０と、警鳴機器５０を駆動可能状態にするための信号と不動状態にするための信号とを選択的に送出するリモコン装置４と、リモコン装置４からの信号を受信するリモコン受信部２１と、電源装置４０と、を含んで構成され、侵入検出機構１０と、警鳴機器５０と、ブザー駆動回路２０と、リモコン受信部２１と、電源装置４０とを、同一筐体内に組み込んだ。【選択図】図１
0003146160.tif 000002
【実用新案登録請求の範囲】
【請求項１】
屋内への侵入路を遮るように横断して設けられる侵入妨害部材と、
該侵入妨害部材の変位を検出して侵入信号を出力する侵入検出機構と、
前記侵入信号の入力を受けて警鳴機器を駆動させるブザー駆動回路と、
警鳴機器を駆動可能状態にするための信号と不動状態にするための信号とを選択的に送出するリモコン装置と、
該リモコン装置からの信号を受信するリモコン受信部と、
電源装置と、を含んで構成され、
前記侵入検出機構と、前記警鳴機器と、前記ブザー駆動回路と、前記リモコン受信部と、前記電源装置とを、同一筐体内に組み込んだことを特徴とする防犯装置。
【請求項２】
前記侵入妨害部材は、侵入路を遮るように横断して張設されるワイヤであり、
前記侵入検出機構は、ワイヤに所定値以上の張力が加わることによるワイヤ端部の変位を検出して第１の侵入信号を出力し、ワイヤの張力が無くなることによるワイヤ端部の変位を検出して第２の侵入信号を出力し、
前記ブザー駆動回路は、前記第１の侵入信号を受けて第１の警報音を発し、前記第２の侵入信号を受けて前記第１の警報音とは異なる第２の警報音を発するように構成されたことを特徴とする請求項１に記載の防犯装置。
【請求項３】
前記侵入妨害部材は、内部にリード線を通した棒状部材であり、
前記侵入検出機構は、前記棒状部材の一端部の変位と前記リード線の切断による通電状態の変化とを検出することを特徴とする請求項１に記載の防犯装置。
【考案の詳細な説明】
【技術分野】
【０００１】
本考案は、空巣、忍び込みなどの侵入盗犯に対し、屋内への侵入路を遮るように侵入妨害部材を配置し、これを無視して侵入を強行しようとした場合に生ずる侵入妨害部材の変位を検出して警報を発する防犯装置に関し、特に、侵入者が屋内に侵入しようとする行為を事前に未然に防止する為に、窓やドアの外側や塀の上、植栽の中など、広範に及ぶ侵入路に、比較的に容易に設置することができる防犯装置に関する。
【背景技術】
【０００２】
屋内・室内への侵入を防止する防犯装置には、例えば、特許文献１に示すように、所定の区域にワイヤを張り巡らし、そのワイヤに過大な張力が加わることによって接点を開閉させ、その接点信号を警報受信盤に通報し、屋内外に設置されている警鳴機器により警報を発するもの、また、特許文献２に示すように、住宅の窓などに棒状部材を差し渡し、その棒状部材の変位を検出して警報受信機へ通報し、そこより屋内外に設置された警鳴機器の警鳴を行うものがあった。
【０００３】
また、簡単に取り付けることができる防犯装置として、特許文献３に示すように、ドアや窓の枠の部分にリードスイッチ、ブザーとその制御回路、スイッチ及び乾電池を組み込んだ筐体を貼着し、ドア扉や引き戸の直近部分に磁石を貼着し、両者の距離が一定以上離れることによりブザーを警鳴させるものがあった。
【特許文献１】特許第２６０２１４３号公報
【特許文献２】特許第３３０８０７２号公報
【特許文献３】実開平５−８７６８７号公報
【考案の開示】
【考案が解決しようとする課題】
【０００４】
しかしながら、特許文献１及び特許文献２のものは、侵入を検知する検出部と受信機との間及び警鳴機器類と受信機との間に、信号線や電源線を配線しなければならず、その工事費が機器の代金よりもはるかに高額になる場合が多いので、このことが一般家庭、小規模事業所等への普及を阻害していた。
また、侵入されている場所と警鳴機器とは近距離にあるとは限らず、その為、警鳴機器が作動しても侵入者への威嚇効果が少なく、無人の場合はそのまま侵入を許す危険があった。
【０００５】
一方、特許文献３のものは、窓・扉等の侵入経路に侵入を阻害する妨害部材がなんら存在しないので、侵入しようとする行為に対する威嚇効果は無く、また、検知器破りをされる危険性が皆無とはいえなかった。
また、遠隔操作によってブザーの電源をオフにすることができないので、居住者が出入りする際に、ブザーが鳴らないようにすることができず、生活上開閉しなければならないドアや門扉等に取り付けるための防犯装置としては、不適切であった。
【０００６】
そこで、本考案は、屋内に侵入しようとする行為を未然に防止することができ、窓やドア、門扉など広範な侵入路に容易に設置することができる防犯装置の提供を目的とする。また、特定者による遠隔操作によって警鳴装置の動作を解除することができ、入場・入室の際の障害となる場所に設置しても、特定者による出入りや窓外の作業に支障をきたすことのない防犯装置の提供を目的とする。
【課題を解決するための手段】
【０００７】
上記課題を解決するために、本考案に係る防犯装置は、屋内への侵入路を遮るように横断して設けられる侵入妨害部材と、該侵入妨害部材の変位を検出して侵入信号を出力する侵入検出機構と、前記侵入信号の入力を受けて警鳴機器を駆動させるブザー駆動回路と、警鳴機器を駆動可能状態にするための信号と不動状態にするための信号とを選択的に送出するリモコン装置と、該リモコン装置からの信号を受信するリモコン受信部と、電源装置と、を含んで構成され、前記侵入検出機構と、前記警鳴機器と、前記ブザー駆動回路と、前記リモコン受信部と、前記電源装置とを、同一筐体内に組み込んだことを特徴とする。
【０００８】
なお、ここでいう「屋内への侵入路」とは、戸外から屋内への侵入路のみならず、室内への侵入路、特定区域への侵入路をもいうものとする。また、ブザー駆動回路とリモコン受信部とは、上記機能をソフトウエア的に実現するマイクロコンピュータであってもよい。
【０００９】
また、本考案において、前記侵入妨害部材は、侵入路を遮るように横断して張設されるワイヤであり、前記侵入検出機構は、ワイヤに所定値以上の張力が加わることによるワイヤ端部の変位を検出して第１の侵入信号を出力し、ワイヤの張力が無くなることによるワイヤ端部の変位を検出して第２の侵入信号を出力し、前記ブザー駆動回路は、前記第１の侵入信号を受けて第１の警報音を発し、前記第２の侵入信号を受けて前記第１の警報音とは異なる第２の警報音を発するように構成されていてもよい。
【００１０】
さらに、本考案において、前記侵入妨害部材は、内部にリード線を通した棒状部材であり、前記侵入検出機構は、前記棒状部材の一端部の変位と前記リード線の切断による通電状態の変化とを検出するように構成されていてもよい。
【考案の効果】
【００１１】
請求項１に係る考案によれば、侵入妨害部材を、屋内への侵入路を遮るように横断させて配置するので、屋内に侵入しようとする行為自体を抑止することができる。
また、侵入検出機構と警鳴機器とブザー駆動回路とリモコン受信部と電源装置とを同一筐体内に組み込んだので、この筐体を侵入妨害部材の近傍に取り付けるだけで設置することができ、大掛かりな配線工事の必要がない。
さらに、リモコン装置によって、警鳴機器を駆動可能状態にするための信号と不動状態にするための信号とを選択的に送出するので、必要に応じて、警鳴装置を作動させないようにすることができ、ドアや門扉などの生活上必要な通路にも設置することができる。
【００１２】
請求項２に係る考案によれば、ワイヤを、侵入路を遮るように横断させて張設するので、屋内に侵入しようとする行為自体を抑止することができる。
また、ワイヤに張力が加わることによるワイヤ端部の変位と、ワイヤが切断されることによるワイヤ端部の変位とを区別して検出し、異なる種類の警報音を発するので、ワイヤを押し下げて侵入しようとする場合、ワイヤを切断して侵入しようとする場合など、様々な侵入方法に対して効果的な方法で対処することができる。
【００１３】
請求項３に係る考案によれば、棒状部材を、侵入路を遮るように横断させて配設するので、屋内に侵入しようとする行為自体を抑止することができる。
また、棒状部材の一端部の変位を検出するのみでなく、棒状部材の内部にリード線を通し、リード線の切断による通電状態の変化を検出して侵入信号を出力するので、侵入しようとして棒状部材を動かした場合だけではなく、棒状部材を切断した場合にも、警報音を発することができる。これによって、多様な侵入方法に対処することができる。
【考案を実施するための最良の形態】
【００１４】
以下、本考案の実施形態を図面に基づいて説明する。
図１は、本考案に係る防犯装置１を示す正面図である。この防犯装置１は、図２に示すように、門扉や玄関扉、窓等に設置して、屋内への侵入を未然に防止するもので、ワイヤ２と、筐体３と、リモコン装置４とを、含んで構成される。
【００１５】
ワイヤ２は、侵入妨害部材として機能するもので、屋内への侵入路を遮るように、侵入路に横断して張設される。ワイヤ２の材質としては、耐候性及び耐食性に優れ、引っ張った際に強靭で、ワイヤ自体の伸びが少なく、可撓性を有するものが好ましい。
【００１６】
このワイヤ２の一端部は、屋内への侵入路の境界となる構造物（扉や窓の枠体など）に取り付けられたワイヤ固定具５によって固定される。
このワイヤ固定具５の内部には、図３に示すように、ケースの側壁に設けられた孔５ａに向かって鋭角に収束する案内溝５ｂが設けられており、その案内溝５ｂの中に、一対のワイヤ保持片５ｃが配設されている。ワイヤ保持片５ｃは楔状体であり、相対する面に凹凸部を有している。圧縮コイルスプリング５ｄの付勢力によってワイヤ保持片５ｃの凹凸面でワイヤ２を両側から挟み込む。
【００１７】
なお、案内溝５ｂ、ワイヤ保持片５ｃ、圧縮コイルスプリング５ｄの寸法や形状は、相対するワイヤ保持片５ｃの凹凸面間の間隔が、ワイヤ２が挿入されない初期状態において、ワイヤの外径よりも狭く（例えば、ワイヤ径の約１／２〜２／３に）なるように、適宜設定されている。この状態で、ワイヤ２を孔５ａから挿入して、そのままワイヤ保持片５ｃの凹凸面の間に押し込むことによって、ワイヤ２が固定される。
【００１８】
また、ワイヤ保持片５ｃには、ピン状の突起５ｅが設けられており、その突起５ｅをケースの外側から押すことによって、圧縮コイルスプリング５ｄの付勢力を解除できるようになっている。
これによって、図３（ｂ）に示すように、ワイヤ保持片５ｃがケースの孔５ａとは反対の方向に所定距離戻され、ワイヤ２が開放される。このようにして、張りすぎたワイヤ２を適正な張力に修正したり、もう一度緩めて再度張りなおしすることができる。
なお、この場合において、相対するワイヤ保持片５ｃの凹凸面の間隔が、ワイヤの外径よりも広く（例えば、ワイヤ径の約１．１倍に）なるように、案内溝５ｂ、ワイヤ保持片５ｃ、圧縮コイルスプリング５ｄの形状や寸法等が設定されている。
【００１９】
ワイヤ２は、図１に示すように、ローラホルダ６に回動自在に軸支されたローラ７によって中継され、他端部に設けられた筐体３へと延伸している。筐体３の内部では、筐体内のローラ７ａに中継されて、後述する可動部材１３及びカム部材１４に、ワイヤ２の他端部が固定されている。
この筐体３の内部には、侵入検出機構１０と、ブザー駆動回路２０やリモコン受信部２１等を組み込んだ制御基盤３０と、電源装置４０としての乾電池４２と、警鳴機器としてのブザー５０とが電気的に接続された状態で配設されている。
【００２０】
侵入検出機構１０は、ワイヤ２の変位を検出して侵入信号を出力するもので、図４に示すように、スプリングボックス１１に収容された圧縮コイルスプリング１２と、この圧縮コイルスプリング１２の先端に固定されると共にワイヤ２の端部が固着される可動部材１３と、この可動部材１３に固定されて可動部材１３の動きに応じて、図中上下方向に移動するカム部材１４と、カム部材１４の移動によってスイッチレバー１５が作動されるマイクロスイッチ１６と、によって構成される。
【００２１】
このマイクロスイッチ１６のスイッチレバー１５は、一定の張力でワイヤ２が張設されている初期状態では、図４（ａ）に示すように、カム部材１４の凸部１７によって押圧されてスイッチボタン１８に接触しており、図示しないスイッチ回路は通電状態となっている。
ワイヤ２に所定以上の張力が加わった場合は、図４（ｂ）に示すように、ワイヤ２の端部が固着された可動部材１３及びカム部材１４が図中下方向に移動し、カム部材１４の凸部１７によるスイッチレバー１５の押圧が解除され、スイッチ回路は開放される。このように、ワイヤ２に所定量以上の張力が加わることによるワイヤ端部の変位を検出して、第１の侵入信号を出力する。
【００２２】
一方、ワイヤ２が切断された場合は、図４（ｃ）に示すように、圧縮コイルスプリング１２の弾発力によってワイヤ２の端部を固着した可動部材１３及びカム部材１４が図中上方向に移動し、カム部材１４の凸部１７によるスイッチレバー１５の押圧が解除された状態が継続される。これによって、スイッチ回路が開放された状態が継続し、スイッチ回路の開放状態が所定時間以上継続することによって、第２の侵入信号が出力される。
なお、圧縮コイルスプリング１２は、風や鳥などの影響でワイヤ２に張力がかかった場合には過大に圧縮せず、規定値以上の引っ張り外力が加わったときのみ圧縮するように、精密な設計の上、バネ係数や長さが決定されている。
【００２３】
制御基盤３０には、ブザー駆動回路２０と、リモコン受信部２１と、ＩＤ認証部２２と、電圧検出部２３と、状態表示部２４と、それらをソフトウエア的に動作させるマイクロコンピュータ２５とが組み込まれている。ブザー駆動回路２０は、プリント基板上に、図示しない電圧コイル、コンデンサ、トランジスタ、抵抗器等を配設したもので、侵入検出機構１０から入力された侵入信号に応じた警報音を発するように後述するブザー５０を制御する。
【００２４】
このブザー駆動回路２０は、侵入検出機構１０から第１の侵入信号の入力を受けた場合には、例えば３０秒間警報音を鳴らし、第２の侵入信号の入力を受けた場合には、警報音を鳴らし続けたり、或いは間欠的に５、６回鳴らしたりすることで、ワイヤ２が引っ張られた場合と、ワイヤ２が切断された場合とで、異なる種類の警報音を発するように構成されている。
リモコン受信部２１は赤外線受光ダイオードによって構成され、リモコン装置４から送出された信号を受信し、ＩＤ認証部へと出力する。
【００２５】
リモコン装置４から送出される信号には、そのリモコン装置４を特定するためのＩＤ信号と、ブザー駆動回路２０を開閉するためのオン・オフ信号とが含まれており、これらの信号を受信したＩＤ認証部２２は、その周波モードを選別して、ＩＤ信号を取り出し、マイクロコンピュータ２５のメモリ内に記憶されたＩＤ番号と照合する。
そして、ＩＤ番号が照合された場合は、信号を送出したリモコン装置４が防犯装置１に対応する個体であることが認証され、オン・オフ信号をマイクロコンピュータ２５に出力する。
【００２６】
電圧検出部２３は、電源として乾電池等を用いる場合に、その乾電池の消耗状態を検出する。
状態表示部２４は、例えばＬＥＤによって構成されており、防犯装置１の状態を示すための表示がなされる。この場合、乾電池が消耗している状態、ブザー駆動回路２０が開放しておりブザーが不動な状態、閉成しておりブザーが駆動可能な状態等を見分けることができるように、異なる色のランプを点灯したり、ランプを点滅させたりできるようになっている。
【００２７】
これらの動作は、ＰＩＣ（米国マイクロチップ・テクノロジー社の登録商標）などのマイクロコンピュータ２５によって、図５及び図６に示すように制御されている。先ず、リモコン受信部２１で信号を受信すると、その信号に基づいてＩＤ認証部２２によってＩＤ照合がなされ、ＩＤ認証されることによって、オン・オフ信号に基づいて以下の処理が行われる。
オン信号が入力された場合は、ブザー駆動回路２０が閉成し、警報出力能動状態になる。このときの状態表示部２４にランプが点灯する。なお、乾電池４２の電圧は、電圧検出部２３によって監視されており、乾電池４２が消耗しつつあると判断された場合、電圧異常信号を送出する。この電圧異常信号を受けて、状態表示部２４のランプが点滅する。
【００２８】
そして、ブザー駆動回路２０が閉成された状態で、侵入検出機構１０の検出器から第１又は第２の侵入信号が出力されると、ブザー駆動回路２０が警報モードを判定し、それに応じた警報音が発せられるようにブザー５０を駆動させる。
ブザー５０は、電流印加により音響又は音声を発する機器であれば何でもよいが、８０〜９０デシベルの音量の特殊高音を発するものが好ましい。
【００２９】
また、ブザー５０を駆動するための電力や制御用電力を供給する電源装置４０として、筐体３内に配設された電池ボックス４１に乾電池４２を収容している。この乾電池４２は、例えば圧電ブザーにおいて上記の音量を発するためには、単三電池３本程度で十分である。アルカリ電池を用いれば、筐体３の小型化を図ることができる。
これらの機器は、屋外での使用に耐え得るように、例えば強化プラスチック等、耐水性及び耐食性を有する筐体内に水密的に収容されている。この筐体３の裏面には、特殊ネジ、強力接着剤、強力両面テープなど、構造物への固定手段が施されている。
【００３０】
リモコン装置４は、居住者が携帯し、防犯装置１のブザー５０が駆動し得る状態、又は駆動しない状態にするための信号を選択的に送出するものであり、押しボタン４ａと、赤外線送信部４ｂを有し、筐体内部にワンチップマイクロプロセッサとしての図示しないＰＩＣ（登録商標）を備えている。
この押しボタン４ａは、ブザー駆動回路２０を閉成してブザー５０を駆動可能状態にするためのオン信号と、ブザー駆動回路２０を開放して不動状態にするためのオフ信号とを選択的に入力する操作部である。入力された信号は、赤外線送信部４ｂから、赤外線に重畳されて送出されるが、この際に、このリモコン装置４に付与されたＩＤ番号が、ＩＤ信号として送出される。
【００３１】
上記構成の防犯装置１の使用状態を説明する。
居住者が外出しようとするときには、リモコン装置４によって防犯装置１のブザー５０が駆動しない状態にしておいて、図２に示すように、玄関ドアや窓の枠体にワイヤ２を張り巡らす。この場合、筐体３から延伸されたワイヤ２を、ローラ７を介して、ワイヤ固定具５の孔５ａへと差込むことで、ワイヤ２が弛まない程度の張力でワイヤ２を張り巡らすことができる。
【００３２】
その後、リモコン装置４を操作して、ブザー５０を駆動可能な状態にする。
侵入者は、通常は玄関ドワに張り巡らされたワイヤ２を見ただけで、侵入を断念するものであるが、万一、侵入しようとした場合は、ワイヤ２を引っ張り、その間をくぐりぬけようとして、ワイヤ２に引っ張り外力が加わる。
【００３３】
これによって、ワイヤ２の端部の位置が、図４（ｂ）に示すように、侵入検出機構１０内の圧縮コイルスプリング１２を圧縮する方向（図中下方向）に変位する。これによって、マイクロスイッチ１６が作動して、第１の侵入信号が出力され、ブザー駆動回路２０を介してブザー５０が警鳴する。
ブザー５０の音を聞いた侵入者がワイヤ２から手を離すことで、ワイヤ２の端部が元の位置に復帰する。これによって、マイクロスイッチ１６からの第１の侵入信号の出力が止まり、ブザー５０が鳴り止む。
【００３４】
一方、ワイヤ２が切断された場合、ワイヤ２の初期張力が解除されるので、図４（ｃ）に示すように、圧縮コイルスプリング１２の弾発力によってワイヤ２の端部が図中上方向に変位し、マイクロスイッチ１６が作動する。この状態が一定時間以上継続される場合は、ワイヤ２が切断されたものと判断できるので、第２の侵入信号が出力される。これによって、ブザー駆動回路２０は、ブザー５０の警鳴が継続されるように、又は、間欠的に５、６回警鳴するように、ブザー５０を作動する。
【００３５】
このように、本考案に係る防犯装置１は、侵入妨害部材としてのワイヤ２を切断するか、移動するか、又は破壊するかしなければ屋内に侵入することができない構造となっているので、屋内に侵入しようとする行為自体を防止することができる。そして、ワイヤ２が張設されているにも関わらず、強行侵入しようとした場合は、特殊高音のブザーによって威嚇するので、更なる侵入抑止効果を有する。
また、ブザー５０が内蔵された筐体３からワイヤ２が伸びているため、侵入行為のすぐ直近でブザー５０を鳴らすことができる。これによって、侵入者に対する威嚇効果が倍増する。
【００３６】
また、リモコン装置４による遠隔操作によって、ブザー５０を鳴らさないようにすることができるので、ドアや門扉など、日常生活において居住者が出入りしなければならない場所にも設置することができる。
そして、リモコン装置４からのＩＤ信号と、防犯装置１の筐体３内に記憶されたＩＤ番号とを照合し、リモコン装置４が当該防犯装置１に対応する個体であることが認証された場合にのみ、ブザー５０を駆動可能又は駆動不可能な状態にするようにしたので、異なる防犯装置１のリモコン装置４を利用して、ブザー５０が鳴らないようにすることを防止できる。
【００３７】
さらに、侵入検出機構１０、ブザー５０、ブザー駆動回路２０、乾電池４２を筐体３内に収容したので、取り付けが楽である。特に、筐体３内に収容された乾電池４２を電源とするので、配線工事の必要がない。そのため、ホームセンターなどで一般消費者に向けて販売することができる。
なお、本考案における侵入妨害部材は、屋内への侵入路を遮るように横断して設けられる部材であれば、如何なる形状のものでもよい。
【００３８】
また、この防犯装置１は、図７に示すように窓や、図８に示すように門扉など、ドア以外の侵入路に取り付けてもよいし、また、窓の外側に取り付けられる面格子によって防犯装置１を構成してもよい。この場合、筐体３としての枠体の内部には、図９に示すように、侵入検出機構１０と、ブザー駆動回路やリモコン受信部等を組み込んだ制御基盤３０と、電源装置４０と、警鳴機器としてのブザー５０とが電気的に接続された状態で配設されており、ローラ７を介して枠体の内側の側壁に設けられた孔からワイヤ２が張り巡らされている。
【００３９】
本考案において、侵入検出機構１０は、侵入妨害部材の変位を検出できるセンサであれば、如何なる構造であってもよいし、リモコン装置４及びリモコン受信部２１は、電波を送受信するものであってもよい。また、電源装置４０も例えば太陽電池等の電力供給手段であってもよい。
【００４０】
次に、本考案の第２実施形態を図面に基づいて説明する。
図１０は、本考案に係る防犯装置１’を示す正面図であり、図１１は断面図である。この防犯装置1’は、図１２に示すように、門扉や玄関扉、窓等に設置して、屋内への侵入を未然に防止するもので、棒状部材８と、筐体３’と、リモコン装置４’とを、含んで構成される。
【００４１】
棒状部材８は、侵入妨害部材として機能するもので、屋内への侵入路を遮るように、侵入路に横断して取り付けられる。
この棒状部材８は、樹脂製又は金属性のパイプ８０であり、一端部に設けられた筒状のパイプホルダー８１を介し、筐体３’の外側表面に設けられた取付部８２に、図中Ａ−Ａ’方向に回動自在に軸着されている。この場合、取付部８２は、図中Ｂ−Ｂ’方向に回動自在な回転盤８３を介して、筐体３’に取り付けられており、棒状部材８は上下左右に回動可能となっている。
【００４２】
この棒状部材８は、侵入路を横断するのに丁度良い長さになるように全長がパイプホルダー８１によって調節される。その調節は、例えばパイプ８０とパイプホルダー８１との重合部分の長さを調節した後にロックネジ８４を締め付ける等の周知の方法で行う。
棒状部材８の他端部は、筐体３’と対向する側の構造物に取り付けられた係止具９に係止されている。
棒状部材８の内部にはリード線８６が通されており、このリード線８６は、棒状部材８の他端部に設けられたマイクロスイッチ８７に接続されている。なお、リード線８６の長さは、パイプ８０の長さ調節によって最長になった場合に対応できるように、余裕を持たせてある。
【００４３】
マイクロスイッチ８７は、係止具９に係止された棒状部材８の他端部の変位を検出するためのものであり、そのスイッチ部８７ａは、図１１に示すように、ケースに設けられた凹部の内部に配設されている。このマクロスイッチ８７のスイッチ部８７ａが、係止具９に設けられた凸部９ａに接触した状態で、棒状部材８の内部のリード線が通電している。
このように、このマイクロスイッチ８７のスイッチ部８７ａを露出させず、ケースの凹部の内部に設けることによって、人為的にスイッチ部８７ａを押した状態で、棒状部材８を係止具９から離脱させることができないようになる。これによって、侵入者は、マイクロスイッチ８７を作動させずに棒状部材８を動かすといったことはできない。
【００４４】
係止具９の表面には、鉄板９ｂがはめ込まれており、マイクロスイッチ８７に取り付けられた磁石８８と密着させることで、風や鳥等の外力によって棒状部材８が係止具９から離脱しないようにしている。
なお、居住者が屋内に居る際には、図１２に示すように、筐体３’の直上に設けられた係止具９ｃに係止できるようにしている。
【００４５】
棒状部材８が取り付けられている筐体３’の内部には、図１０に示すように、侵入検出機構１０’とブザー駆動回路２０’とリモコン受信部２１’とを組み込んだ制御基盤３０’、電源装置４０’としての乾電池４２’、ブザー５０’とが配設されている。
侵入検出機構１０’は、棒状部材８のリード線８６の通電状態を検出し、侵入信号を出力するものである。即ち、棒状部材８が係止具９から離脱した場合に回路が開放され、侵入信号を出力する。また、棒状部材８及びその内部のリード線８６が切断された場合にも回路が開放され、侵入信号を出力する。
【００４６】
筐体３’の内部のブザー駆動回路２０’は、この侵入信号を受けてブザー５０’を作動させる。
なお、筐体３’内部のリモコン受信部２１’、ブザー５０’及び電源装置４０’、そしてリモコン装置４’は、第１実施形態の防犯装置のものと同一の構成であるので、説明を省略する。
【００４７】
上記構成の防犯装置１’の使用状態を説明する。
居住者が外出する際には、リモコン装置４’によってブザー５０’が鳴らない状態にしておいて、防犯装置１’の棒状部材８を、係止具９にセットする。
これによって、棒状部材８に設けられたマイクロスイッチ８７のスイッチ部８７ａと、係止具９の凸部９ａとが接触する。この状態でリモコン装置４’を操作して、防犯装置１’のブザー５０’を駆動可能な状態にする。
【００４８】
侵入者は、通常は、侵入路を遮断するように設けられた棒状部材８を見ただけで、侵入を断念するものであるが、侵入しようとして棒状部材８を動かした場合は、棒状部材８のマイクロスイッチ８７が係止具９から離脱し、侵入検出機構１０’から侵入信号が出力され、ブザー駆動回路２０’を介してブザー５０’が警鳴する。
一方、棒状部材８が切断された場合は、棒状部材８の内部に通されたリード線８６も切断されるので、電流が不通となる。これによっても、侵入検出機構１０’から侵入信号が出力され、ブザー５０’が警鳴する。
【００４９】
本実施形態に係る防犯装置１’においても、棒状部材８の存在によって侵入行為を未然に防止できると共に、侵入を強行した場合において警報機の警鳴によって侵入者を退散させることができる。
【図面の簡単な説明】
【００５０】
【図１】本考案の第１実施形態に係る防犯装置を示す正面図である。
【図２】上記防犯装置の使用状態を示す説明図である。
【図３】上記防犯装置のワイヤ固定具５のケースの内部を示す正面図である。
【図４】上記防犯装置の侵入検出機構を示す正面図であり、（ａ）は初期状態を示し、（ｂ）はワイヤに張力が加わった場合を示し、（ｃ）はワイヤが切断された場合を示す。
【図５】上記防犯装置のブロック図である。
【図６】上記防犯装置のマイクロコンピュータの動作を示す流れ図である。
【図７】上記防犯装置を窓に適用した場合の説明図である。
【図８】上記防犯装置を門扉に適用した場合の説明図である。
【図９】本考案による防犯装置を面格子によって構成した場合の説明図である。
【図１０】本考案の第２実施形態に係る防犯装置を示す正面図である。
【図１１】上記防犯装置のＣ−Ｃ’矢視断面図である。
【図１２】上記防犯装置の使用状態を示す説明図である。
【符号の説明】
【００５１】
１、１’…防犯装置
２…ワイヤ（侵入妨害部材）
３、３’…筐体
４、４’…リモコン装置
８…棒状部材（侵入妨害部材）
１０、１０’…侵入検出機構
２０、２０’…ブザー駆動回路
２１、２１’…リモコン受信部
４０、４０’…電源装置
５０、５０’…ブザー（警鳴機器）
【図１】
0003146160.tif 000003
【図２】
0003146160.tif 000004
【図３】
0003146160.tif 000005
【図４】
0003146160.tif 000006
【図５】
0003146160.tif 000007
【図６】
0003146160.tif 000008
【図７】
0003146160.tif 000009
【図８】
0003146160.tif 000010
【図９】
0003146160.tif 000011
【図１０】
0003146160.tif 000012
【図１１】
0003146160.tif 000013
【図１２】
0003146160.tif 000014